【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
逆成分間予測（ＩＣＣＰ）及び逆適応色変換（ＴＡＣＴ）を一緒に単一のステップで適用することと、ここにおいて、前記ＩＣＣＰ及び前記ＴＡＣＴを一緒に適用することは、ルーマサンプルのビット深度とクロマサンプルのビット深度との間の差分に基づいて初期残差サンプルのセットを修正残差サンプルのセットに変換することを備え、初期残差サンプルの前記セットが初期残差ルーマサンプル及び初期残差クロマサンプルとを含み、修正残差サンプルの前記セットが修正残差ルーマサンプルと修正残差クロマサンプルとを含み、ここにおいて、
前記初期残差クロマサンプルが初期残差Ｃｂサンプルと初期残差Ｃｒサンプルとを含み、
前記修正残差クロマサンプルが修正残差Ｃｂサンプルと修正残差Ｃｒサンプルとを含み、
初期残差サンプルの前記セットを変換することは、
３プラス０と前記ルーマサンプルの前記ビット深度マイナス前記クロマサンプルの前記ビット深度に等しい値との最大値としてビットシフト値を決定することと、
前記ビットシフト値だけ左シフトされた１として第１のパラメータ値を決定することと、
０と前記クロマサンプルの前記ビット深度マイナス前記ルーマサンプルの前記ビット深度に等しい値との最大値だけ左シフトされた前記初期残差Ｃｂサンプルのための成分間予測パラメータとして第２のパラメータ値を決定することと、
０と前記クロマサンプルの前記ビット深度マイナス前記ルーマサンプルの前記ビット深度に等しい前記値との最大値だけ左シフトされた前記初期残差Ｃｒサンプルのための成分間予測パラメータとして第３のパラメータ値を決定することと、
前記初期残差ルーマサンプルで乗算された、前記第１のパラメータ値と前記第２のパラメータ値との和、プラス前記初期残差Ｃｂサンプルで乗算された前記第１のパラメータ値としてルーマ残差係数値を決定することと、
第１の中間値と第２の中間値との間の差分として第１のクロマ残差係数値を決定することと、
前記第１の中間値が、前記初期残差ルーマサンプルで乗算された、前記第１のパラメータ値マイナス前記第２のパラメータ値、マイナス前記初期残差Ｃｂサンプル倍の前記第１のパラメータ値に等しく、
記第２の中間値が、前記初期残差ルーマサンプルで乗算された前記第３のパラメータ値、プラス前記初期残差Ｃｒサンプルで乗算された前記第１のパラメータ値に等しい、
前記第１の中間値と前記第２の中間値との和として第２のクロマ残差係数値を決定することと、
前記ビットシフト値だけ右シフトされた前記ルーマ残差係数値として前記修正残差ルーマサンプルを決定することと、
前記ビットシフト値だけ右シフトされた前記第１のクロマ係数値として前記修正残差Ｃｂサンプルを決定することと、
前記ビットシフト値だけ右シフトされた前記第２のクロマ係数値として前記修正残差Ｃｒサンプルを決定することとを備える、
前記ビデオデータの再構成サンプルを生成するために前記修正残差サンプルを予測ブロックの対応するサンプルに加算することとを備える、方法。
【請求項２】
ビットストリームから、前記初期残差Ｃｂサンプルのための前記成分間予測パラメータと前記初期残差Ｃｒサンプルのための前記成分間予測パラメータとを示すシンタックス要素を取得することを更に備える、請求項１に記載の方法。
【請求項３】
ビットストリーム中で、前記初期残差Ｃｂサンプルのための前記成分間予測パラメータと前記初期残差Ｃｒサンプルのための前記成分間予測パラメータとを示すシンタックス要素を信号伝達することを更に備える、請求項１に記載の方法。
【請求項４】
ビデオデータをコード化するための機器であって、前記機器が、
前記ビデオデータを記憶するように構成されたデータ記憶媒体と、
１つ以上のプロセッサとを備え、前記１つ以上のプロセッサは、
逆成分間予測（ＩＣＣＰ）及び逆適応色変換（ＩＡＣＴ）を一緒に単一のステップで適用することと、ここにおいて、前記１つ以上のプロセッサは、前記ＩＣＣＰ及び前記ＩＡＣＴを適用することの一部として、前記１つ以上のプロセッサが、ルーマサンプルのビット深度とクロマサンプルのビット深度との間の差分に基づいて初期残差サンプルのセットを修正残差サンプルのセットに変換するように構成され、初期残差サンプルの前記セットが初期残差ルーマサンプル及び初期残差クロマサンプルとを含み、修正残差サンプルの前記セットが修正残差ルーマサンプルと修正残差クロマサンプルとを含み、ここにおいて、
前記初期残差クロマサンプルが初期残差Ｃｂサンプルと初期残差Ｃｒサンプルとを含み、前記修正残差クロマサンプルが修正残差Ｃｂサンプルと修正残差Ｃｒサンプルとを含み、
前記１つ以上のプロセッサは、初期残差サンプルの前記セットを変換することの一部として、前記１つ以上のプロセッサが、
３プラス０と前記ルーマサンプルの前記ビット深度マイナス前記クロマサンプルの前記ビット深度に等しい値との最大値としてビットシフト値を決定することと、
前記ビットシフト値だけ左シフトされた１として第１のパラメータ値を決定することと、
０と前記クロマサンプルの前記ビット深度マイナス前記ルーマサンプルの前記ビット深度に等しい値との最大値だけ左シフトされた前記初期残差Ｃｂサンプルのための成分間予測パラメータとして第２のパラメータ値を決定することと、
０と前記クロマサンプルの前記ビット深度マイナス前記ルーマサンプルの前記ビット深度に等しい前記値との最大値だけ左シフトされた前記初期残差Ｃｒサンプルのための成分間予測パラメータとして第３のパラメータ値を決定することと、
前記初期残差ルーマサンプルで乗算された、前記第１のパラメータ値と前記第２のパラメータ値との和、プラス前記初期残差Ｃｂサンプルで乗算された前記第１のパラメータ値としてルーマ残差係数値を決定することと、
第１の中間値と第２の中間値との間の差分として第１のクロマ残差係数値を決定することと、
前記第１の中間値が、前記初期残差ルーマサンプルで乗算された、前記第１のパラメータ値マイナス前記第２のパラメータ値、マイナス前記初期残差Ｃｂサンプル倍の前記第１のパラメータ値に等しく、
前記第２の中間値が、前記初期残差ルーマサンプルで乗算された前記第３のパラメータ値、プラス前記初期残差Ｃｒサンプルで乗算された前記第１のパラメータ値に等しい、
前記第１の中間値と前記第２の中間値との和として第２のクロマ残差係数値を決定することと、
前記ビットシフト値だけ右シフトされた前記ルーマ残差係数値として前記修正残差ルーマサンプルを決定することと、
前記ビットシフト値だけ右シフトされた前記第１のクロマ係数値として前記修正残差Ｃｂサンプルを決定することと、
前記ビットシフト値だけ右シフトされた前記第２のクロマ係数値として前記修正残差Ｃｒサンプルを決定することとを行うように構成された、
前記ビデオデータの再構成サンプルを生成するために前記修正残差サンプルを予測ブロックの対応するサンプルに加算することとを行うように構成された、機器。
【請求項５】
前記１つ以上のプロセッサが、
ビットストリームから、前記初期残差Ｃｂサンプルのための前記成分間予測パラメータと前記初期残差Ｃｒサンプルのための前記成分間予測パラメータとを示すシンタックス要素を取得するように構成された、請求項４に記載の機器。
【請求項６】
前記１つ以上のプロセッサが、
ビットストリーム中で、前記初期残差Ｃｂサンプルのための前記成分間予測パラメータと前記初期残差Ｃｒサンプルのための前記成分間予測パラメータとを示すシンタックス要素を信号伝達するように構成された、請求項４に記載の機器。
【請求項７】
前記機器が、
集積回路、
マイクロプロセッサ、又は
ワイヤレスハンドセットのうちの少なくとも１つを備える、請求項４に記載の機器。
【請求項８】
復号ビデオデータを表示するように構成された表示器を更に備える、請求項４に記載の機器。
【請求項９】
前記ビデオデータを取得するように構成されたカメラを更に備える、請求項４に記載の機器。
【請求項１０】
ビデオデータをコード化するための機器であって、前記機器は、
逆成分間予測（ＩＣＣＰ）及び逆適応色変換（ＩＡＣＴ）を一緒に単一のステップで適用するための手段と、ここにおいて、前記ＩＣＣＰ及び前記ＩＡＣＴを一緒に単一のステップで適用するための前記手段は、ルーマサンプルのビット深度とクロマサンプルのビット深度との間の差分に基づいて初期残差サンプルのセットを修正残差サンプルのセットに変換するための手段を備え、初期残差サンプルの前記セットが初期残差ルーマサンプル及び初期残差クロマサンプルとを含み、修正残差サンプルの前記セットが修正残差ルーマサンプルと修正残差クロマサンプルとを含み、ここにおいて、
前記初期残差クロマサンプルが初期残差Ｃｂサンプルと初期残差Ｃｒサンプルとを含み、
前記修正残差クロマサンプルが修正残差Ｃｂサンプルと修正残差Ｃｒサンプルとを含み、
初期残差サンプルの前記セットを変換するための前記手段は、
３プラス０と前記ルーマサンプルの前記ビット深度マイナス前記クロマサンプルの前記ビット深度に等しい値との最大値としてビットシフト値を決定するための手段と、
前記ビットシフト値だけ左シフトされた１として第１のパラメータ値を決定するための手段と、
０と前記クロマサンプルの前記ビット深度マイナス前記ルーマサンプルの前記ビット深度に等しい値との最大値だけ左シフトされた前記初期残差Ｃｂサンプルのための成分間予測パラメータとして第２のパラメータ値を決定するための手段と、
０と前記クロマサンプルの前記ビット深度マイナス前記ルーマサンプルの前記ビット深度に等しい前記値との最大値だけ左シフトされた前記初期残差Ｃｒサンプルのための成分間予測パラメータとして第３のパラメータ値を決定するための手段と、
前記初期残差ルーマサンプルで乗算された、前記第１のパラメータ値と前記第２のパラメータ値との和、プラス前記初期残差Ｃｂサンプルで乗算された前記第１のパラメータ値としてルーマ残差係数値を決定するための手段と、
第１の中間値と第２の中間値との間の差分として第１のクロマ残差係数値を決定するための手段と、
前記第１の中間値が、前記初期残差ルーマサンプルで乗算された、前記第１のパラメータ値マイナス前記第２のパラメータ値、マイナス前記初期残差Ｃｂサンプル倍の前記第１のパラメータ値に等しく、
前記第２の中間値が、前記初期残差ルーマサンプルで乗算された前記第３のパラメータ値、プラス前記初期残差Ｃｒサンプルで乗算された前記第１のパラメータ値に等しい、
前記第１の中間値と前記第２の中間値との和として第２のクロマ残差係数値を決定するための手段と、
前記ビットシフト値だけ右シフトされた前記ルーマ残差係数値として前記修正残差ルーマサンプルを決定するための手段と、
前記ビットシフト値だけ右シフトされた前記第１のクロマ係数値として前記修正残差Ｃｂサンプルを決定するための手段と、
前記ビットシフト値だけ右シフトされた前記第２のクロマ係数値として前記修正残差Ｃｒサンプルを決定するための手段とを備える、
前記ビデオデータの再構成サンプルを生成するために前記修正残差サンプルを予測ブロックの対応するサンプルに加算するための手段とを備える、機器。
【請求項１１】
ビットストリームから、前記初期残差Ｃｂサンプルのための前記成分間予測パラメータと前記初期残差Ｃｒサンプルのための前記成分間予測パラメータとを示すシンタックス要素を取得するための手段を更に備える、請求項１０に記載の機器。
【請求項１２】
ビットストリーム中で、前記初期残差Ｃｂサンプルのための前記成分間予測パラメータと前記初期残差Ｃｒサンプルのための前記成分間予測パラメータとを示すシンタックス要素を信号伝達するための手段を更に備える、請求項１０に記載の機器。
【請求項１３】
実行されたとき、ビデオデータをコード化するための機器に、
逆成分間予測（ＩＣＣＰ）及び逆適応色変換（ＴＡＣＴ）を一緒に単一のステップで適用することと、ここにおいて、命令は、部分的に前記機器にルーマサンプルのビット深度とクロマサンプルのビット深度との間の差分に基づいて初期残差サンプルのセットを修正残差サンプルのセットに変換することを行わせることによって、前記機器に前記ＩＣＣＰ及び前記ＩＡＣＴを一緒に単一のステップで適用することを行わせ、初期残差サンプルの前記セットが初期残差ルーマサンプル及び初期残差クロマサンプルとを含み、修正残差サンプルの前記セットが修正残差ルーマサンプルと修正残差クロマサンプルとを含み、ここにおいて、
前記初期残差クロマサンプルが初期残差Ｃｂサンプルと初期残差Ｃｒサンプルとを含み、
前記修正残差クロマサンプルが修正残差Ｃｂサンプルと修正残差Ｃｒサンプルとを含み、
前記機器に初期残差サンプルの前記セットを変換させることの一部として、前記命令は、前記機器に、
３プラス０と前記ルーマサンプルの前記ビット深度マイナス前記クロマサンプルの前記ビット深度に等しい値との最大値としてビットシフト値を決定することと、
前記ビットシフト値だけ左シフトされた１として第１のパラメータ値を決定することと、
０と前記クロマサンプルの前記ビット深度マイナス前記ルーマサンプルの前記ビット深度に等しい値との最大値だけ左シフトされた前記初期残差Ｃｂサンプルのための成分間予測パラメータとして第２のパラメータ値を決定することと、
０と前記初期残差クロマサンプルの前記ビット深度マイナス前記初期残差ルーマサンプルの前記ビット深度に等しい前記値との最大値だけ左シフトされた前記初期残差Ｃｒサンプルのための成分間予測パラメータとして第３のパラメータ値を決定することと、
前記初期残差ルーマサンプルで乗算された、前記第１のパラメータ値と前記第２のパラメータ値との和、プラス前記初期残差Ｃｂサンプルで乗算された前記第１のパラメータ値としてルーマ残差係数値を決定することと、
第１の中間値と第２の中間値との間の差分として第１のクロマ残差係数値を決定することと、
前記第１の中間値が、前記初期残差ルーマサンプルで乗算された、前記第１のパラメータ値マイナス前記第２のパラメータ値、マイナス前記初期残差Ｃｂサンプル倍の前記第１のパラメータ値に等しく、
前記第２の中間値が、前記初期残差ルーマサンプルで乗算された前記第３のパラメータ値、プラス前記初期残差Ｃｒサンプルで乗算された前記第１のパラメータ値に等しい、
前記第１の中間値と前記第２の中間値との和として第２のクロマ残差係数値を決定することと、
前記ビットシフト値だけ右シフトされた前記ルーマ残差係数値として前記修正残差ルーマサンプルを決定することと、
前記ビットシフト値だけ右シフトされた前記第１のクロマ係数値として前記修正残差Ｃｂサンプルを決定することと、
前記ビットシフト値だけ右シフトされた前記第２のクロマ係数値として前記修正残差Ｃｒサンプルを決定することとを行わせる、
前記ビデオデータの再構成サンプルを生成するために前記修正残差サンプルを予測ブロックの対応するサンプルに加算することとを行わせる命令を記憶したコンピュータ可読記憶媒体。
【請求項１４】
前記命令が、前記機器に、
ビットストリームから、前記初期残差Ｃｂサンプルのための前記成分間予測パラメータと前記初期残差Ｃｒサンプルのための前記成分間予測パラメータとを示すシンタックス要素を取得することを行わせる、請求項１３に記載のコンピュータ可読記憶媒体。
【請求項１５】
前記命令が、前記機器に、
ビットストリーム中で、前記初期残差Ｃｂサンプルのための前記成分間予測パラメータと前記初期残差Ｃｒサンプルのための前記成分間予測パラメータとを示すシンタックス要素を信号伝達することを行わせる、請求項１３に記載のコンピュータ可読記憶媒体。